(57)【要約】【課題】運用系装置と非運用系装置を備える冗長系システムにおいて、電源回路に不具合が生じた場合でも冗長系システムの連続的な運用を可能にする手段を提供する。【解決手段】本発明に係る冗長系システム１０は、通常時に使用される運用系インターフェイスカード２０Ａ，２０Ｃ，２０Ｅと、非常時に使用される非運用系インターフェイスカード２０Ｂ，２０Ｄ，２０Ｆと、運用系インターフェイスカード２０Ａ，２０Ｃ，２０Ｅ及び非運用系インターフェイスカード２０Ｂ，２０Ｄ，２０Ｆの両方に対して電圧を供給する直流電源５０と、直流電源５０と運用系インターフェイスカード２０Ａ，２０Ｃ，２０Ｅとの間に介在された運用系電源回路６０Ａ、及び直流電源５０と非運用系インターフェイスカード２０Ｂ，２０Ｄ，２０Ｆとの間に介在された非運用系電源回路６０Ｂを有するパワーサプライカード４０と、を備えるものである。【選択図】図１
2012212972.tif 000002
【特許請求の範囲】
【請求項１】
通常時に使用される運用系インターフェイスカードと、
非常時に使用される非運用系インターフェイスカードと、
前記運用系インターフェイスカード及び前記非運用系インターフェイスカードの両方に対して電圧を供給する電源と、
前記電源と前記運用系インターフェイスカードとの間に介在された運用系電源回路、及び前記電源と前記非運用系インターフェイスカードとの間に介在された非運用系電源回路を有するパワーサプライカードと、
を備えることを特徴とする冗長系システム。
【請求項２】
前記運用系インターフェイスカード及び前記非運用系インターフェイスカードがそれぞれ複数個ずつ設けられ、各運用系インターフェイスカード及び各非運用系インターフェイスカードの通信速度が互いに異なることを特徴とする請求項１に記載の冗長系システム。
【請求項３】
前記パワーサプライカードが、通常時に使用される運用系パワーサプライカードと、非常時に使用される非運用系パワーサプライカードとを有することを特徴とする請求項１又は２に記載の冗長系システム。
【請求項４】
前記電源は、通常時には前記運用系インターフェイスカードに対してのみ電圧を供給するとともに、非常時には前記非運用系インターフェイスカードに対してのみ電圧を供給することを特徴とする請求項１から３のいずれか１項に記載の冗長系システム。
【請求項５】
前記運用系インターフェイスカードの動作を制御する運用系コントロールカードと、前記非運用系インターフェイスカードの動作を制御する非運用系コントロールカードとを更に備えることを特徴とする請求項１から４のいずれか１項に記載の冗長系システム。
【発明の詳細な説明】
【技術分野】
【０００１】
本発明は、運用系装置と非運用系装置とを備える冗長系システムに関するものである。
【背景技術】
【０００２】
装置の故障等に影響を受けることなく連続的な運用が要求されるシステムは、運用系装置と非運用系装置とを備えて二重化された冗長系システムとして構成されるのが一般的である。
【０００３】
ここで、図４は、従来例に係る冗長系システム１の全体構成を示す模式図である。冗長系システム１は、合計６個のインターフェイスカード２と、これらインターフェイスカード２を制御する２個のコントロールカード３と、各インターフェイスカード２に対して電圧を供給する直流電源４と、直流電源４から供給される電圧を調整するパワーサプライカード５と、を備えるものである。
【０００４】
ここで、６個のインターフェイスカード２は、３個の運用系インターフェイスカード２Ａ，２Ｃ，２Ｅと、３個の非運用系インターフェイスカード２Ｂ，２Ｄ，２Ｆとを有している。ここで、運用系インターフェイスカード２Ａと非運用系インターフェイスカード２Ｂとが冗長系を構成している。同様に、運用系インターフェイスカード２Ｃと非運用系インターフェイスカード２Ｄとが冗長系を構成している。更に、運用系インターフェイスカード２Ｅと非運用系インターフェイスカード２Ｆとが冗長系を構成している。
【０００５】
また、２個のコントロールカード３は、運用系コントロールカード３Ａと、非運用系コントロールカード３Ｂとを有している。そして、この運用系コントロールカード３Ａと非運用系コントロールカード３Ｂとが冗長系を構成している。
【０００６】
そして、運用系インターフェイスカード２Ａ，２Ｃ，２Ｅは、運用系コントロールカード３Ａによりその動作がそれぞれ制御される。一方、非運用系インターフェイスカード２Ｂ，２Ｄ，２Ｆは、非運用系コントロールカード３Ｂによりその動作がそれぞれ制御される。
【０００７】
また、図４に示すように、６個のインターフェイスカード２及び２個のコントロールカード３に対しては、直流電源４から供給される例えば４８Ｖの電圧が、パワーサプライカード５を構成する１個の電源回路６によって１２Ｖの電圧に変換されてそれぞれ供給されている。
【０００８】
そして、運用系インターフェイスカード２Ａ，２Ｃ，２Ｅに故障等が生じた場合には、これらを非運用系インターフェイスカード２Ｂ，２Ｄ，２Ｆにそれぞれ切り替えることにより、冗長系システム１の連続的な運用を可能としている。
【０００９】
ここで、特許文献１，２，３，及び４には、運用系装置と非運用系装置とを備える冗長系システムにおいて、運用系装置及び非運用系装置に対して電圧を供給する電源を複数個設けることにより、電源供給についても冗長系を構成することが開示されている。そのうち、特許文献１及び４には、複数個の電源を切り替えるための複数個のスイッチ、及びこれらスイッチの動作を制御する制御部を更に備える点が開示されている。
【先行技術文献】
【特許文献】
【００１０】
【特許文献１】特開２００１−１１１７４０号公報
【特許文献２】特開平５−１００８８１号公報
【特許文献３】特開平１１−３１４６号公報
【特許文献４】特開平１１−３０６７５２号公報
【発明の概要】
【発明が解決しようとする課題】
【００１１】
しかしながら、従来の冗長系システム１では、運用系または非運用系の別によらず、全てのインターフェイスカード２及びコントロールカード３に対し、共通の電源回路６を介して直流電源４からの電圧を供給している。従って、この共通の電源回路６に故障等の不具合が発生した場合、運用系インターフェイスカード２Ａ，２Ｃ，２Ｅ及び運用系コントロールカード３Ａだけでなく、非運用系インターフェイスカード２Ｂ，２Ｄ，２Ｆ及び非運用系コントロールカード３Ｂまでもがその機能を停止することにより、冗長系システム１の連続的な運用に支障を来たすという問題があった。
【００１２】
本発明は、このような事情を考慮してなされたものであり、その目的は、運用系装置と非運用系装置を備える冗長系システムにおいて、電源回路に不具合が生じた場合でも冗長系システムの連続的な運用を可能にする手段を提供することにある。
【課題を解決するための手段】
【００１３】
上記目的を達成するために、本発明は以下の手段を採用している。すなわち、本発明に係る冗長系システムは、通常時に使用される運用系インターフェイスカードと、非常時に使用される非運用系インターフェイスカードと、前記運用系インターフェイスカード及び前記非運用系インターフェイスカードの両方に対して電圧を供給する電源と、前記電源と前記運用系インターフェイスカードとの間に介在された運用系電源回路、及び前記電源と前記非運用系インターフェイスカードとの間に介在された非運用系電源回路を有するパワーサプライカードと、を備えることを特徴とする。
【発明の効果】
【００１４】
本発明に係る冗長系システムによれば、運用系電源回路に故障等の不具合が発生した場合には、運用系電源回路から非運用系電源回路に切り替えて、非運用系インターフェイスカードを作動させることができる。これにより、運用系電源回路に故障等の不具合が発生した場合でも、これに影響を受けることなく冗長系システムの連続的な運用が可能となる。
【図面の簡単な説明】
【００１５】
【図１】本発明の実施形態に係る冗長系システムの全体構成を示す模式図である。
【図２】通常時における冗長系システムの状態を示す模式図である。
【図３】非常時における冗長系システムの状態を示す模式図である。
【図４】従来例に係る冗長系システムの全体構成を示す模式図である。
【図５】パワーサプライカードを冗長化した構成を示す概略斜視図である。
【発明を実施するための形態】
【００１６】
以下、添付図面を参照して、本発明を実施するための最良の形態を説明する。しかし、本発明はこれらの実施例のみに限定されるものではない。
図１は、本発明の実施形態に係る冗長系システム１０の全体構成を示す模式図である。冗長系システム１０は、６個のインターフェイスカード２０と、２個のコントロールカード３０と、インターフェイスカード２０及びコントロールカード３０それぞれに対して電気的に接続されたパワーサプライカード４０と、パワーサプライカード４０に対して電気的に接続された直流電源５０と、を備えるものである。
【００１７】
インターフェイスカード２０は、外部と通信信号を送受信する役割を果たすものである。このインターフェイスカード２０は、図１に示すように、通常時に使用される３個の運用系インターフェイスカード２０Ａ，２０Ｃ，２０Ｅと、非常時に使用される３個の非運用系インターフェイスカード２０Ｂ，２０Ｄ，２０Ｆとを有している。そして、運用系インターフェイスカード２０Ａと非運用系インターフェイスカード２０Ｂとが冗長系を構成している。同様に、運用系インターフェイスカード２０Ｃと非運用系インターフェイスカード２０Ｄとが冗長系を構成している。更に、運用系インターフェイスカード２０Ｅと非運用系インターフェイスカード２０Ｆとが冗長系を構成している。
尚、インターフェイスカード２０の個数や冗長系の構成の仕方等は、本実施形態に限定されず適宜設計変更が可能である。
【００１８】
また図１に詳細は示さないが、これらインターフェイスカード２０Ａ〜２０Ｆは、それぞれ通信ケーブルが接続可能に構成されており、運用系インターフェイスカード２０Ａ，２０Ｃ，２０Ｅは互いに異なる通信速度で外部と通信を行うものとなっている。そして、その通信速度は、運用系インターフェイスカード２０Ａ，２０Ｂ，２０Ｃの順に、相対的に高速、中速、低速となっている。例えば本実施形態では、運用系インターフェイスカード２０Ａが１００ＧＥ（ギガビットイーサネット（登録商標））の光通信にて、運用系インターフェイスカード２０Ｃが１０ＧＥの光通信にて、運用系インターフェイスカード２０Ｅが１ＧＥの無線通信にて、それぞれ通信を行うものとしている。また、非運用系インターフェイスカード２０Ｂ，２０Ｄ，２０Ｆに関しても、互いに異なる通信速度で外部と通信を行い、その通信速度は、冗長系を構成する運用系インターフェイスカード２０Ａ，２０Ｃ，２０Ｅの通信速度にそれぞれ対応している。
尚、インターフェイスカード２０Ａ〜２０Ｆの通信速度は、本実施形態に限定されず適宜設計変更が可能である。
【００１９】
コントロールカード３０は、インターフェイスカード２０の動作を制御する役割を果たすものである。このコントロールカード３０は、図１に示すように、運用系インターフェイスカード２０Ａ，２０Ｃ，２０Ｅの動作を制御する運用系コントロールカード３０Ａと、非運用系インターフェイスカード２０Ｂ，２０Ｄ，２０Ｆの動作を制御する非運用系コントロールカード３０Ｂとを有している。そして、運用系コントロールカード３０Ａと非運用系コントロールカード３０Ｂとが冗長系を構成している。
尚、コントロールカード３０の個数や冗長系の構成の仕方等は、本実施形態に限定されず適宜設計変更が可能である。
【００２０】
パワーサプライカード４０は、直流電源５０から供給される電圧を調整する役割を果たすものである。このパワーサプライカード４０は、図１に示すように、２個の電源回路６０を備えている。
尚、パワーサプライカード４０自体を冗長化することも可能である。例えば、図５に示すように、複数のインターフェイスカード２０と複数のコントロールカード３０とが搭載される伝送装置７０において、通常時に使用される運用系パワーサプライカード４０Ａと、非常時に使用される非運用系パワーサプライカード４０Ｂとを別々に搭載してもよい。
【００２１】
電源回路６０は、直流電源５０から供給される電圧を変換する役割を果たすものである。この電源回路６０は、図１に示すように、運用系インターフェイスカード２０Ａ，２０Ｃ，２０Ｅに対して電気的に接続された運用系電源回路６０Ａと、非運用系インターフェイスカード２０Ｂ，２０Ｄ，２０Ｆに対して電気的に接続された非運用系電源回路６０Ｂとを有している。また、これら運用系電源回路６０Ａ及び非運用系電源回路６０Ｂは、直流電源５０に対してそれぞれ電気的に接続されている。このように構成される電源回路６０によれば、例えば直流電源５０から供給された４８Ｖの電圧が、運用系電源回路６０Ａによって１２Ｖの電圧に変換された後、運用系インターフェイスカード２０Ａ，２０Ｃ，２０Ｅ、及び運用系コントロールカード３０Ａに対してそれぞれ供給される。同様に、直流電源５０から供給された４８Ｖの電圧が、非運用系電源回路６０Ｂによって１２Ｖに変換された後、非運用系インターフェイスカード２０Ｂ，２０Ｄ，２０Ｆ、及び非運用系コントロールカード３０Ｂに対してそれぞれ供給される。
尚、電源回路６０の個数や冗長系の構成の仕方等は、インターフェイスカード２０やコントロールカード３０の個数等に応じて適宜設計変更が可能である。
例えば、電源回路６０Ａ及び電源回路６０Ｂとは別に電源回路をもう１つ追加し、この追加した電源回路から運用系コントロールカード３０Ａ及び非運用系コントロールカード３０Ｂに対して電圧を供給するようにしてもよい。
【００２２】
次に、本実施形態に係る冗長系システム１０の動作、及びその作用効果について説明する。図２は、通常時における冗長系システム１０の状態を示す模式図である。通常時には、直流電源５０から供給される電圧が運用系電源回路６０Ａを介して供給されることにより、運用系インターフェイスカード２０Ａ，２０Ｃ，２０Ｅ、及び運用系コントロールカード３０Ａがそれぞれ動作している。一方この時、非運用系インターフェイスカード２０Ｂ，２０Ｄ，２０Ｆ、及び非運用系コントロールカード３０Ｂは、非運用系電源回路６０Ｂから電圧が供給されることなく、それぞれ待機状態となっている。
【００２３】
他方、図３は、非常時における冗長系システム１０の状態を示す模式図である。図２に示す通常時に、運用系インターフェイスカード２０Ａ，２０Ｃ，２０Ｅ、運用系コントロールカード３０Ａ、及び運用系電源回路６０Ａのうち少なくとも一つに故障等の不具合が発生したことが検出されると、運用系電源回路６０Ａから運用系インターフェイスカード２０Ａ，２０Ｃ，２０Ｅ、及びコントロールカード３０Ａへの電圧供給が停止する。これにより、運用系インターフェイスカード２０Ａ，２０Ｃ，２０Ｅ、及び運用系コントロールカード３０Ａは、運用系から非運用系にそれぞれ切り替わる。
【００２４】
またこれと同時に、非運用系電源回路６０Ｂから非運用系インターフェイスカード２０Ｂ，２０Ｄ，２０Ｆ、及び非運用系コントロールカード３０Ｂに対して所定の電圧が供給されることにより、非運用系インターフェイスカード２０Ｂ，２０Ｄ，２０Ｆ、及び非運用系コントロールカード３０Ｂが、非運用系から運用系にそれぞれ切り替わる。
その後は、それまでの非運用系インターフェイスカード２０Ｂ，２０Ｄ，２０Ｆ、及び非運用系コントロールカード３０Ｂが、運用系としてそれぞれ動作する。
【００２５】
このように、冗長系を構成する、運用系インターフェイスカード２０Ａ，２０Ｃ，２０Ｅ、及び運用系コントロールカード３０Ａと、非運用系インターフェイスカード２０Ｂ，２０Ｄ，２０Ｆ、及び非運用系コントロールカード３０Ｂに対応して、直流電源５０から供給される電圧を変換する電源回路６０として、運用系電源回路６０Ａ及び非運用系電源回路６０Ｂを別々に設けた。これにより、運用系電源回路６０Ａと非運用系電源回路６０Ｂとが冗長系を構成し、一方の電源回路６０が故障した場合にも、他方の電源回路６０が機能することにより、冗長系システム１０の停止を回避することができる。これにより、電源回路６０に不具合が生じた場合でも、それに影響を受けることなく冗長系システム１０の連続的な運用が可能となる。
【００２６】
また、運用系と非運用系とで電源回路６０を別々に設けたので、運用系と非運用系とで共通の電源回路６０を備える図４に示す従来の冗長系システム１と比較して、運用系電源回路６０Ａ，６０Ｂのそれぞれを、電源容量の小さなものとすることができる。
更に、上述の構成によれば、電源が直流電源５０の１個だけであるため、複数個の電源を切り替えるためのスイッチやスイッチの動作を制御するための制御部を設ける必要がなく、冗長系システム１０の小規模化及び低コスト化を図ることができる。
しかも、本発明に係る冗長系システム１０は、複数個の電源回路６０を備えた１枚のパワーサプライカード４０のみによって実現することができるので、例えば図４に示したような既存の冗長系システム１に対しても、パワーサプライカード５を置換するだけで容易に適用することができる。
【００２７】
なお、本発明に係る冗長系システム１０は、運用系が作動している間は非運用系が作動することなく待機状態にある、いわゆるコールドスタンバイ方式で構成したが、これに代えて、運用系が作動している間は非運用系も同様に作動しながら待機状態にある、いわゆるホットスタンバイ方式で構成することも可能である。
【００２８】
尚、上述した実施形態において示した各構成部材の諸形状や組み合わせ、或いは動作手順等は一例であって、本発明の主旨から逸脱しない範囲において設計要求等に基づき種々変更可能である。
【符号の説明】
【００２９】
１  冗長系システム
２  インターフェイスカード
２Ａ  運用系インターフェイスカード
２Ｂ  非運用系インターフェイスカード
２Ｃ  運用系インターフェイスカード
２Ｄ  非運用系インターフェイスカード
２Ｅ  運用系インターフェイスカード
２Ｆ  非運用系インターフェイスカード
３  コントロールカード
３Ａ  運用系コントロールカード
３Ｂ  非運用系コントロールカード
４  直流電源
５  パワーサプライカード
６  電源回路
１０  冗長系システム
２０  インターフェイスカード
２０Ａ  運用系インターフェイスカード
２０Ｂ  非運用系インターフェイスカード
２０Ｃ  運用系インターフェイスカード
２０Ｄ  非運用系インターフェイスカード
２０Ｅ  運用系インターフェイスカード
２０Ｆ  非運用系インターフェイスカード
３０  コントロールカード
３０Ａ  運用系コントロールカード
３０Ｂ  非運用系コントロールカード
４０  パワーサプライカード
４０Ａ  運用系パワーサプライカード
４０Ｂ  非運用系パワーサプライカード
５０  直流電源
６０  電源回路
６０Ａ  運用系電源回路
６０Ｂ  非運用系電源回路
７０  伝送装置
【図１】
2012212972.tif 000003
【図２】
2012212972.tif 000004
【図３】
2012212972.tif 000005
【図４】
2012212972.tif 000006
【図５】
2012212972.tif 000007